(57)【要約】【課題】本発明は、髪を簡単に束ねることができ、束ねた髪が安定して固定される用具を提供することを課題とします。【解決手段】  帯状のバネ鋼板を、左右両側から中心に向けてコイル状に巻くことで、左右のコイル状部の間に髪を巻き付け、前記左右のコイル状部のバネ力で巻き付けた髪を保持することを特徴としています。また、バネ鋼板に換えて、可撓性のある樹脂を用いることを特徴としています。【選択図】図６
2017070559.tif 000002
【特許請求の範囲】
【請求項１】
帯状のバネ鋼板を、左右両側から中心に向けてコイル状に巻くことで、左右のコイル状部の間に髪を巻き付け、前記左右のコイル状部のバネ力で巻き付けた髪を保持することを特徴とする髪留具。
【請求項２】
帯状のバネ鋼板の左右両端部分を、端部に向けて細く形成したことを特徴とする請求項１に記載の髪留具。
【請求項３】
帯状のバネ鋼板の幅または厚さを変えることでバネ力を調整し、本体の大きさを可変できることを特徴とする請求項１又は２に記載の髪留具。
【請求項４】
バネ鋼板に換えて、可撓性のある樹脂を用いたことを特徴とする請求項１から３に記載の髪留具。
【発明の詳細な説明】
【技術分野】
【０００１】
本発明は髪を束ねるための髪留具に関するものです。
【背景技術】
【０００２】
髪を束ねるための用具としては、ゴム紐で輪をつくりゴムバンドとし、そのゴムバンドを束ねた髪に巻き付けることが、過去から行われていますが、束ねる位置が頭の後方であることもあり、束ねた髪にゴムバンドを巻きつける手間が掛ってしまう問題点があります。
【０００３】
特許第３６２６９９７号には、スパイラル形状の道具に、外側から中心に向けて髪を移動させ、髪を束ねる道具について記載されていますが、髪を中心部まで移動させることは、容易なことではないことが推定されます。
【先行技術文献】
【特許文献】
【０００４】
【特許文献１】特許第３６２６９９７号（図２、３）
【発明の概要】
【発明が解決しようとする課題】
【０００５】
本発明は、髪を簡単に束ねることができ、束ねた髪が安定して固定される用具を提供することを課題とします。
【課題を解決するための手段】
【０００６】
帯状のバネ鋼板を、左右両側から中心に向けてコイル状に巻くことで、左右のコイル状部の間に髪を巻き付け、前記左右のコイル状部のバネ力により、巻き付けた髪を保持することを特徴とすします。
【０００７】
また、帯状のバネ鋼板の左右両端部分を、端部に向けて細く形成し、バネ力を調整することができることを特徴とします。
【０００８】
更には、帯状のバネ鋼板の幅または厚さを変えることでバネ力を調整し、本体の大きさを可変することを特徴とします。
【０００９】
バネ鋼板に換えて、可撓性のある樹脂を用いることもできます。この場合、帯状の樹脂板の左右両側から中心に向けてコイル状に巻く、または射出成型により本体を構成することを特徴とします。
【発明の効果】
【００１０】
左右のコイル状部の間に、束ねた髪を巻きつけるだけなので、誰でも気軽に容易に髪をまとめることができます。
【００１１】
帯状のバネ鋼板の左右両端部分を、端部に向けて細く形成することで、バネの力を調整することができます。
【００１２】
帯状のバネ鋼板の幅または厚さを変えることでバネ力を調整し、本体の大きさを可変することができます。
【００１３】
バネ鋼板に換えて、樹脂を利用した場合は、生産性の向上等に寄与することができます。
【００１４】
バネ鋼板の周囲にカバーを付ける、またはリボンやフリルなどを付けデコレーションすることで、おしゃれな髪留具とすることができます。
【図面の簡単な説明】
【００１５】
【図１】本体一例の正面図
【図２】本体一例の側面図
【図３】本体一例の平面図
【図４】バネ鋼板の一例の平面図
【図５】先端を細く形成したバネ鋼板の一例の平面図
【図６】本体一例の斜視図
【図７】本体にカバーを付けた状態の正面図
【図８】本髪留具を用いて髪を束ねる手順を示す図
【図９】使用例を示す一例の図
【発明を実施するための最良の形態】
【００１６】
本発明の構成について、実施例を基に図面を引用して説明します。
【実施例１】
【００１７】
本体に用いるバネ鋼板３には、例えば、図４に示すような帯状のものを用いて、左右から中心に向けてコイル状に巻くことで、図６に示すような本髪留具の原型が完成します。左右のコイル状部は、少なくとも１巻以上あればよく、予めコイル状のバネ鋼板を用いれば、必要な長さに切断し、左右にコイル状部を設けることで容易に本体を形成することができます。図１はコイルを約１．７５巻したものを例示した正面図、図２は本体の側面図、図３は本体の平面図です。
【００１８】
使用するバネ鋼板の幅寸法は、１５ｍｍ〜３５ｍｍの範囲が望ましく、厚さは０．２ｍｍ程度のものが望ましいですが、これらに限定されるものではなく、バネ力や本体の大きさとの関連で、適宜選択することができます。
【００１９】
左右に構成したコイル状部は、中心に向けてバネ力が働き、このバネ力を利用し巻き付けた髪を固定することになります。そのバネ力は、０．１５ｋｇ〜１．５ｋｇ程度で、望ましくは１．０ｋｇ程度ですが、これに限定されるものではありません。
【００２０】
バネ鋼板に換えて、可撓性のある樹脂を用いることもできます。この場合、帯状の樹脂板の左右両側から、例えば、熱などを加えながら中心に向けてコイル状に巻く、または射出成型により本体を構成することができます。樹脂材としては、ポリプロピレン、ポリエチレン、ＡＢＳ、ナイロン、ポリ塩化ビニル、シリコーン樹脂などがありますが、これに限定されるものではありません。
【００２１】
図７に示すように、バネ鋼板で構成した本体の周りを、布やフェルトなどでカバーをし、安全性の確保や美観を表現することができます。
前記カバーをする前に、バネ鋼板の端部を覆うようにテープを貼ることで、端部の鋭利性をなくし、更に安全性が向上します。
【００２２】
完成した本体の、左右のコイル状部の間から髪を入れ、残りの髪を巻きつけることで、髪を束ねることができます。左右のコイル状部が、中心に向けてバネ力が働くので、巻き付けた髪を保持することができます。図８は本髪留具を用いて髪を束ねる手順を示すものです。
【実施例２】
【００２３】
図５に示すように、バネ鋼板の左右両端部分を、端部に向けて細く形成することで、バネ力を低下させることができ、左右のコイル状部から中心に向けたバネ力を調整することができます。
【実施例３】
【００２４】
バネ鋼板の幅寸法または厚さを変えることで、バネ力を強くしたり弱くしたり調整することができ、左右のコイル状部から中心に向けたバネ力を調整することにより、本体の大きさを可変することができます。
【実施例４】
【００２５】
本体であるバネ鋼板の周囲に付けるカバーに、リボンやフリルなどを付けデコレーションすることで、おしゃれな髪留具とすることができます。
【実施例５】
【００２６】
図９は、本髪留具を縦長に利用する一例を示すものです。単に髪を巻きつけるだけでなく、縦長に伸ばすように利用することで、形を変えた違ったデザインの髪留具として利用することもできます。
【産業上の利用可能性】
【００２７】
本発明の紐留具は工業生産が可能であり、本品を用いて美容室等での利用及び提供も可能です。
【符号の説明】
【００２８】
１  本体
２  コイル状部
３  バネ鋼板
４  カバー
【図１】
2017070559.tif 000003
【図２】
2017070559.tif 000004
【図３】
2017070559.tif 000005
【図４】
2017070559.tif 000006
【図５】
2017070559.tif 000007
【図６】
2017070559.tif 000008
【図７】
2017070559.tif 000009
【図８】
2017070559.tif 000010
【図９】
2017070559.tif 000011